(57)【要約】【課題】貼着剤で踏み面被覆部を階段下地の踏み面に貼着するにも拘わらず、位置決め、位置決めのし直し、微調整など簡単に行うことができる施工性に優れた階段被覆材と、この階段被覆材を用いた階段被覆工法を提供する。【解決手段】階段下地２０の踏み面２０ａと段鼻２０ｂと蹴上げ面２０ｃに亘って被覆する逆Ｌ字状に屈曲した階段被覆材１であって、その踏み面被覆部１ａの下面に第一の貼着剤層２Ａが積層され、第一の貼着剤層２Ａの下面に第一の剥離紙３Ａが積層され、第一の剥離紙３Ａの段鼻２０ｂ側の端縁に引き剥がし用突片４が設けられた階段被覆材とする。階段被覆材１を階段下地２０に重ねて第一の剥離紙３Ａを剥離除去する前に位置決め等を簡単に行うことができ、引き剥がし用突片４を摘んで剥離紙３Ａを破断なく容易に剥離除去して踏み面被覆部１ｃを貼着できるので、この階段被覆材を用いた階段被覆工法は施工性に優れる。【選択図】図１
2013028992.tif 000002
【特許請求の範囲】
【請求項１】
階段下地の踏み面と段鼻と蹴上げ面に亘って被覆する逆Ｌ字状に屈曲した階段被覆材であって、その踏み面被覆部の下面に第一の貼着剤層が形成され、この第一の貼着剤層の下面に第一の剥離紙が積層され、この第一の剥離紙の上記段鼻側の端縁に引き剥がし用突片が設けられていることを特徴とする階段被覆材。
【請求項２】
引き剥がし用突片が、第一の剥離紙の端縁を第一の貼着剤層より段鼻側に延設して形成されていることを特徴とする請求項１に記載の階段被覆材。
【請求項３】
蹴上げ面被覆部の裏面に、第二の貼着剤層と第二の剥離紙がこの順で積層されていることを特徴とする請求項１又は請求項２に記載の階段被覆材。
【請求項４】
請求項１ないし請求項３のいずれかに記載された階段被覆材を用いて階段下地を被覆する階段被覆工法であって、階段被覆材を階段下地の踏み面と段鼻と蹴上げ面に亘って重ね、階段被覆材を適正に位置決めしたうえで、踏み面被覆部を上記段鼻と反対側の端部から捲り上げ、第一の剥離紙の引き剥がし用突片を上記段鼻と反対側に引っ張って第一の剥離紙を剥離除去し、踏み面被覆部を階段下地の踏み面に押圧して貼着することを特徴とする階段被覆工法。
【発明の詳細な説明】
【技術分野】
【０００１】
本発明は、階段被覆材及びこれを用いた階段被覆工法に関し、更に詳しくは、階段下地に貼着するときに位置決めを容易にやり直したり、位置の微調整を簡単に行うことができる施工性に優れた階段被覆材と、この階段被覆材を用いた階段被覆工法に関する。
【背景技術】
【０００２】
従来より、階段下地の踏み面と段鼻と蹴上げ面に亘って被覆する逆Ｌ字状に屈曲した合成樹脂製の階段被覆材を使用し、階段被覆材の踏み面被覆部と階段下地の踏み面を接着剤で、階段被覆材の段鼻被覆部と階段下地の段鼻をシーリング剤で、階段被覆材の蹴上げ面被覆部と階段下地の蹴上げ面を粘着剤で、それぞれ貼着した階段被覆構造が知られている（特許文献１）。
【０００３】
また、逆Ｌ字状に屈曲した合成樹脂製の階段被覆材を使用し、階段被覆材の踏み面被覆部の一部を帯状に設けられた接着剤層で階段下地の踏み面に貼着すると共に、階段被覆材の他の部分をブチルゴム系粘着剤層で階段下地に貼着した階段被覆構造も知られている（特許文献２）。
【先行技術文献】
【特許文献】
【０００４】
【特許文献１】特開平０９−１２５６４３号公報
【特許文献２】特開平０９−０９６０７３号公報
【発明の概要】
【発明が解決しようとする課題】
【０００５】
特許文献１の階段被覆構造ように、階段被覆材の踏み面被覆部を接着剤で階段下地の踏み面に貼着するものは、接着剤を階段下地の踏み面に塗布し、オープンタイムを設けて階段被覆材を貼着しなければならないため、手間と時間がかかり、施工性にやや難点がある。これに対し、特許文献２の階段被覆構造のように階段被覆材の大部分を粘着剤層で階段下地に貼着するものは、予め粘着剤層を階段被覆材の裏面に設けておけば、階段被覆材を階段下地に押圧するだけで簡単に貼着でき、上記の手間と時間を省くことができる。
【０００６】
しかしながら、階段被覆材の踏み面被覆部などを粘着剤層で階段下地に貼着する場合は、一旦、階段被覆材の裏面の粘着剤層を階段下地に接触させると、階段被覆材が階段下地に貼着して固定されるため、階段被覆材の位置決めをやり直したり、階段被覆材の位置を僅かにずらせて微調整を行うことが難しいという問題があった。
【０００７】
本発明は上記の問題に対処すべくなされたもので、その解決しようとする課題は、粘着剤などの貼着剤で踏み面被覆部を階段下地の踏み面に貼着するものであるにも拘わらず、位置決め作業、位置決めし直し作業、位置の微調整作業を簡単に行うことができる施工性に優れた階段被覆材と、この階段被覆材を用いた階段被覆工法を提供することにある。
【課題を解決するための手段】
【０００８】
上記課題を解決するため、本発明に係る階段被覆材は、階段下地の踏み面と段鼻と蹴上げ面に亘って被覆する逆Ｌ字状に屈曲した階段被覆材であって、その踏み面被覆部の下面に第一の貼着剤層が形成され、この第一の貼着剤層の下面に第一の剥離紙が積層され、この第一の剥離紙の上記段鼻側の端縁に引き剥がし用突片が設けられていることを特徴とするものである。
【０００９】
本発明の階段被覆材においては、引き剥がし用突片が、第一の剥離紙の端縁を第一の貼着剤層より段鼻側に延設して形成されていることが望ましい。そして、蹴上げ面被覆部の裏面に、第二の貼着剤層と第二の剥離紙がこの順で積層されていることが望ましい。
【００１０】
また、本発明に係る階段被覆工法は、請求項１ないし請求項３のいずれかに記載された階段被覆材を用いて階段下地を被覆する階段被覆工法であって、階段被覆材を階段下地の踏み面と段鼻と蹴上げ面に亘って重ね、階段被覆材を適正に位置決めしたうえで、踏み面被覆部を上記段鼻と反対側の端部から捲り上げ、第一の剥離紙の引き剥がし用突片を上記段鼻と反対側に引っ張って第一の剥離紙を剥離除去し、踏み面被覆部を階段下地の踏み面に押圧して貼着することを特徴とするものである。
【００１１】
なお、本発明にいう「貼着」とは、粘着と接着の双方を包括する概念の用語である。
【発明の効果】
【００１２】
本発明の階段被覆材は、その踏み面被覆部の下面に形成された第一の貼着剤層が、その下面に形成された第一の剥離紙で覆われているため、階段下地の踏み面と段鼻と蹴上げ面に亘って階段被覆材を重ねた状態では、自由に階段被覆材を移動させて適正な位置に位置決めしたり、位置決めをし直したり、位置の微調整を行ったりすることができる。そして、適正に位置決めしたうえで、階段被覆材の踏み面被覆部を上記段鼻と反対側の端部から捲り上げ、第一の剥離紙の引き剥がし用突片を上記段鼻と反対側に引っ張ると、段鼻側の狭い捲り上げ空間から第一の剥離紙を破断させることなく容易に剥離、除去することができ、かくして第一の貼着剤層を露出させた踏み面被覆部を階段下地の踏み面に押圧すると、踏み面被覆部が第一の貼着剤層を介して階段下地の踏み面に確実に貼着される。
【００１３】
このように、本発明の階段被覆材は、踏み面被覆部をその下面に形成された第一の貼着剤層によって階段下地の踏み面に貼着するものであるから、接着剤を塗布する手間やオープンタイムの設定が不要であり、しかも、上記のごとく階段被覆材の位置決め作業、位置決めし直し作業、位置の微調整作業などを容易に行うことができるので、施工性に優れており、本発明の階段被覆工法を効率良く実施できるものである。
【００１４】
また、引き剥がし用突片が、第一の剥離紙の端縁を第一の貼着剤層より段鼻側に延設して形成されている階段被覆材は、簡便かつ安価に引き剥がし用突片を形成できる利点がある。
【００１５】
そして、蹴上げ面被覆部の裏面に、第二の貼着剤層と第二の剥離紙がこの順で積層されている階段被覆材は、適正に位置決めした後、第二の剥離紙を剥離除去して蹴上げ面被覆部を第二の貼着剤層で階段下地の蹴上げ面に貼着することにより、階段被覆材を適正な位置に容易かつ確実に固定することができ、その後、踏み面被覆部を捲り上げて第一の剥離紙の引き剥がし突片を引っ張って第一の剥離紙を剥離除去する際にも、階段被覆材の位置ズレを阻止して適正な位置を維持できる利点がある。
【００１６】
また、本発明に係る階段被覆工法は、上記の階段被覆材を階段下地の踏み面と段鼻と蹴上げ面に亘って重ね、階段被覆材を適正に位置決めしたうえで、踏み面被覆部を上記段鼻と反対側の端部から捲り上げ、第一の剥離紙の引き剥がし用突片を上記段鼻と反対側に引っ張って第一の剥離紙を剥離除去し、踏み面被覆部を階段下地の踏み面に押圧して貼着するものであるから、接着剤を塗布する手間やオープンタイムの設定が不要であり、しかも、第一の剥離紙を剥離除去して踏み面被覆部を貼着する前に、階段被覆材の位置決め作業、位置決めし直し作業、位置の微調整作業などを容易かつ正確に行うことができるので、施工性に優れ効率良く実施することができる。
【図面の簡単な説明】
【００１７】
【図１】本発明の一実施形態に係る階段被覆材の断面図である。
【図２】同階段被覆材を斜め下方から見た斜視図である。
【図３】本発明に係る階段被覆工法を説明するもので、階段被覆材の段鼻被覆部の裏側に充填材を付着し、階段被覆材を階段下地に重ねる前の状態示す断面図である。
【図４】本発明に係る階段被覆工法を説明するもので、階段被覆材を階段下地の踏み面と段鼻と蹴上げ面に亘って重ねた状態を示す断面図である。
【図５】本発明に係る階段被覆工法を説明するもので、階段被覆材を位置決めし、第二の剥離紙を剥離除去して蹴上げ面被覆部を第二の貼着剤層で階段下地の蹴上げ面に貼着した状態を示す断面図である。
【図６】本発明に係る階段被覆工法を説明するもので、階段被覆材の踏み面被覆部を段鼻と反対側の端部から捲り上げて、第一の剥離紙を剥離している状態を示す断面図である。
【図７】本発明に係る階段被覆工法を説明するもので、階段被覆材を貼着し終えた状態を示す断面図である。
【発明を実施するための形態】
【００１８】
以下、図面に基づいて、本発明に係る階段被覆材と階段被覆工法のそれぞれの実施形態を詳述する。
【００１９】
図１は本発明の一実施形態に係る階段被覆材の断面図、図２は同階段被覆材を斜め下方から見た斜視図である。
【００２０】
図１〜３に示す階段被覆材１は、逆Ｌ字状に屈曲した柔軟な被覆材であって、図１に仮想線で示す階段下地２０の踏み面２０ａを被覆する踏み面被覆部１ａと、階段下地２０の段鼻２０ｂを被覆する段鼻被覆部１ｂと、階段下地２０の蹴上げ面２０ｃを被覆する蹴上げ面被覆部１ｃが一体に形成されたものである。この階段被覆材１の踏み面被覆部１ａの下面には、第一の貼着剤層２Ａが該下面の略全体に亘って積層されており、この第一の貼着剤層２Ａの下面には、該貼着剤層２Ａを覆う第一の剥離紙３Ａが積層されている。また、階段被覆材１の蹴上げ面被覆部１ｃの裏面には、第二の貼着剤層２Ｂが蹴上げ面被覆部１ｃの下縁沿いに全幅に亘って形成されており、更にこの第二の貼着剤層２Ｂを覆う第二の剥離紙３Ｂが積層されている。
【００２１】
上記階段被覆材１は、柔軟な合成樹脂（例えば軟質塩化ビニル樹脂、オレフィン系樹脂等）や合成ゴムなどで成形されたものであって、踏み面被覆部１ａの上面には、防滑用の大小の突起１ｄ，１ｅが多数配列形成されており、また、階段昇降時にストレスが繰返し加えられる段鼻被覆部１ｂには、補強用の肉盛部１ｆが形成されている。本実施形態の階段被覆材１それ自体は単層構造であるが、模様や図柄等を有する表面層と無模様の裏面層（バッキング層）を積層した二層構造としてもよく、また、表面層と中間層と裏面層を積層した三層構造としてもよい。
【００２２】
第一の貼着剤層２Ａは、粘着剤や接着剤を階段被覆材１の踏み面被覆部１ａの下面に塗布したり、シート状ないしフィルム状の粘着剤や接着剤を踏み面被覆部１ａの下側に積層して形成された層である。この第一の貼着剤層２は、階段昇降時の施工性の向上や衝撃緩和などの観点から、粘弾性のあるものが用いられる。前者の粘着剤としては、アクリル系、ゴム系、シリコーン系などの粘着剤が使用され、特にアクリル系の粘着剤が好ましく使用される。これらの粘着剤で形成される第一の貼着剤層２Ａの厚さは０．０５〜１ｍｍの範囲内とするのが好適であり、特にアクリル系の粘着剤で形成される貼着剤層２Ａの場合は０．１ｍｍ程度の厚さとするのが最適である。また、後者の接着剤としては、ウレタン系、エポキシ系、変成シリコーン系、酢酸ビニル系、アクリル系などの接着剤が使用され、特にウレタン系の接着剤が好ましく使用される。これらの接着剤で形成される第一の貼着剤層２Ａの厚さは０．２〜２．５ｍｍの範囲内とするのが好適であり、特にウレタン系の接着剤で形成される貼着剤層２Ａの場合は１ｍｍ程度の厚さとするのが最適である。
【００２３】
本実施形態では、階段被覆材１の踏み面被覆部１ａの下面に単層の第一の貼着剤層２Ａを積層しているが、第一の貼着剤層２Ａとして、樹脂発泡シートの両面に上記貼着剤（粘着剤または接着剤）を塗布した三層構造の両面貼着シートや、樹脂発泡シートの両面にシート状の上記貼着剤（粘着剤または接着剤）を積層した三層構造の両面貼着シートなどを使用してもよい。このような両面貼着シートが踏み面被覆部１ａの下面に設けられていると、樹脂発泡シートによって階段昇降時の衝撃荷重の緩和や音の発生を緩和するとともに、歩行者が万一転倒した際の衝撃がより一層吸収、緩和される利点がある。
【００２４】
また、本実施形態では、第一の貼着剤層２Ａを階段被覆材１の踏み面被覆部１ａの下面の略全域に亘って積層形成しているが、踏み面被覆部１ａの下面の段鼻被覆部１ｂ側のみに部分的に積層形成してもよい。また、第一の貼着剤層２Ａは、段鼻被覆部１ｂ（換言すれば階段被覆材１のコーナー部）から３〜２０ｍｍ程度の間隔をあけて、踏み面被覆部１ａの下面に積層形成してもよい。
【００２５】
この第一の貼着剤層２Ａを覆う第一の剥離紙３Ａは、第一の貼着剤層２Ａを階段下地２０の踏み面２０ａに接触させて階段被覆材１の踏み面被覆部１ａを貼着するまでに、第一の貼着剤層２Ａが汚れたり濡れたりして貼着力が低下しないように保護し、また、第一の貼着剤層２Ａが他の物と貼着して被覆貼着作業を阻害しないように第一の貼着剤層２Ａをカバーしておくものであって、剥離性のある材質の薄いシートもしくはフィルムからなるものである。その材質は任意であり、例えば、シリコーン含浸紙や、表面を剥離処理した合成樹脂シートまたはフィルムや、剥離性を有する合成樹脂を薄いシート状若しくはフィルム状に成形したものなどが用いられ、その中でもシリコーン含浸紙が特に好ましく使用される。第一の剥離紙３Ａの厚さは特に限定されないが、０．０５〜１ｍｍ程度の厚さを有するものが好適に使用される。０．０５ｍｍより薄い剥離紙３Ａは強度が小さいため、剥離の際に破断する可能性があり、１ｍｍより厚い剥離紙３Ａは可撓性に劣るため、後述する剥離作業がし辛くなる虞れがある。
【００２６】
第一の剥離紙３Ａは、段鼻２０ｂ側（段鼻被覆部１ｂ側）の端縁が第一の貼着剤層３Ａより段鼻２０ｂ側（段鼻被覆部１ｂ側）に延設されており、この延設された端部が反対側に折り曲げられて、剥離の際に指で摘んで第一の剥離紙３Ａを引き剥がす、引き剥がし用突片４が形成されている。この引き剥がし用突片４の突出寸法（延設寸法）は特に限定されないが、例えば５〜１００ｍｍ程度の突出寸法とするのが好適である。引き剥がし用突片４の突出寸法が５ｍｍより小さい場合は、引き剥がし用突片４を指で摘まみにくくなり、１００ｍｍより大きくなると、第一の貼着剤層２Ａよりもかなり面積の大きい第一の剥離紙３Ａが必要にあるので材料の無駄が多くなる。
【００２７】
本実施形態では、上記のように第一の剥離紙３Ａの端縁を延設して折り曲げることにより、引き剥がし用突片４を第一の剥離紙３Ａと一体に設けているが、別個に引き剥がし用突片４を作製し、この引き剥がし用突片４を第一の剥離紙３Ａの段鼻被覆部１ｂ側の端縁に、接着や溶着（熱溶着、高周波溶着、超音波溶着等）、ステープラーなどによる物理的接合などの公知の手段で接合して設けるようにしてもよい。
【００２８】
階段被覆材１の蹴上げ面被覆部１ｃの下縁に沿って該被覆部１ｃの裏面に積層される第二の貼着剤層２Ｂは、階段被覆材１を位置決めしたあと、階段被覆材１の位置がずれないように蹴上げ面被覆部１ｃを階段下地２０の蹴上げ面２０ｃに貼着して階段被覆材１を固定する役目と、階段被覆材１を階段下地２０に貼着したのち蹴上げ面被覆部１ｃが階段下地２０の蹴上げ面２０ｃから剥離して階段被覆材１が捲れ上がらないように、蹴上げ被覆部１ｃを階段下地２０の蹴上げ面２０ｃに貼着、固定する役目を果たすものであって、例えば、帯状の樹脂発泡シートの両面に貼着剤を塗布した三層構造の両面貼着テープや、帯状の単層のブチルゴムシートが使用される。両面貼着テープの好ましい例としては、帯状の厚さ０．５〜５ｍｍのポリエチレン発泡シートの両面に、厚さ０．１〜１ｍｍのアクリル系粘着剤層を設けたものが挙げられる。
第二の貼着剤層２Ｂの幅寸法（上下寸法）は特に制限されないが、３０〜１５０ｍｍ程度であることが好ましい。幅寸法が３０ｍｍより小さい場合は、貼着力が不足して階段被覆材１の蹴上げ被覆部１ｃが剥離する虞れがあり、一方、１５０ｍｍより大きくしても、それに見合った効果が得られず、材料の無駄となる。
【００２９】
この第二の貼着剤層２Ｂを覆う帯状の第二の剥離紙３Ｂは、前述した第一の剥離紙３Ａと同様の材質のものが使用される。
【００３０】
なお、図示はしていないが、階段被覆材１と第一の貼着剤層２Ａとの間には発泡層を形成してもよく、このように発泡層が形成されていると、階段昇降時の衝撃が発泡層で吸収、緩和される利点があるので好ましい。発泡層としては、例えば合成樹脂を連続発泡又は独立発泡させた厚さ１〜５ｍｍ程度の発泡シートなどが好ましく使用される。
【００３１】
次に、図３〜図７を参照して、前記の階段被覆材を用いた本発明の階段被覆工法について説明する。
【００３２】
先ず、階段被覆材１を階段下地２０に重ねる前に、図３に示すように、階段被覆材１の段鼻被覆部１ｂの裏側に充填材５を付着させ、図４に示すように階段被覆材１を階段下地２０に重ねたときに、階段被覆材１の段鼻被覆部１ｂと階段下地２０の段鼻２０ｂとの間に充填材５が充填されるようにする。この充填材５は、階段被覆材１の貼着時の小さな位置ズレや第二の貼着剤層２Ｂの厚みによって生じる間隙を埋めたり、階段下地２０の段鼻２０ｂの欠損部を埋めたりすることを目的として充填するもので、例えば、１成分型もしくは２成分型のウレタン系、２成分型のエポキシ系、１成分型の変成シリコーン系などの充填材が好適に用いられる。
【００３３】
次いで、図４に示すように、階段被覆材１を階段下地２０の踏み面２０ａと段鼻２０ｂと蹴上げ面２０ｃに亘って重ね、階段被覆材１の段鼻被覆部１ｂと階段下地２０の段鼻２０ｂとが適正な位置関係となるように、階段被覆材１の位置決めを行う。このように階段被覆材１を階段下地２０に重ねた状態では、図４に示すように、第一の貼着剤層２Ａが第一の剥離紙３Ａに覆われ、第二の貼着剤層２Ｂも第二の剥離紙３Ｂに覆われているため、階段被覆材１を移動させながら容易に位置決め作業を行うことができ、勿論、位置決めし直し作業や位置の微調整作業も容易に行うことができる。なお、引き剥がし用突片４は、図４に示すように完全に折り返されて階段下地２０の踏み面２０ａに当接する。
【００３４】
階段被覆材１の位置決めが終わると、第二の剥離紙３Ｂを剥離除去し、図５に示すように、階段被覆材１の蹴上げ面被覆部１ｃを第二の貼着剤層２Ｂによって階段下地２０の蹴上げ面２０ｃに貼着、固定する。このように、最初に階段被覆材１の蹴上げ面被覆部１ｃを位置決め固定すると、階段被覆材１の全体的な位置決めを容易かつ正確に行うことができ、かつ、次の工程で階段被覆材１の踏み面被覆部１ａを捲り上げて第一の剥離紙３Ａを剥離除去する際に、階段被覆材１の位置がずれのを防止することができる。そして、施工後には、蹴上げ面被覆部１ｃが階段下地２０の蹴上げ面２０ｃから剥離して捲れ上がる心配もなくなる。
【００３５】
次いで、図６に示すように、階段被覆材１の踏み面被覆部１ａを、段鼻２０ｂ（段鼻被覆部１ｂ）と反対側の端部（換言すれば奥端側の端部）から捲り上げ、第一の剥離紙３Ａの引き剥がし用突片４を指で摘んで、矢印のように段鼻２０ｂ（段鼻被覆部１ｂ）と反対側に引っ張って第一の剥離紙３Ａを剥離除去する。このように踏み面被覆部１ａを捲り上げて第一の剥離紙３Ａの引き剥がし用突片４を段鼻２０ｂと反対側に引っ張ると、段鼻２０ｂ側の狭い捲り上げ空間から第一の剥離紙３Ａを破断させることなく容易かつ確実に剥離除去することができる。
【００３６】
そして、図７に示すように、踏み面被覆部１ａを階段下地２０の踏み面２０ａに押圧して、踏み面被覆部１ａを第一の貼着剤層２Ａで貼着固定し、更に、階段被覆材１の周囲の端部をシーリング材６でシールしてもよい。このシーリング材６は階段被覆材１の捲れ防止や防水を目的とするものであり、例えば、１成分型もしくは２成分型のウレタン系、２成分型のエポキシ系、１成分型の変成シリコーン系などのシーリング材が好ましく使用される。
【００３７】
なお、階段被覆材１の踏み面被覆部１ａの後端（段鼻被覆部１ｂと反対側の端部）と、第一の貼着剤層２Ａの後端を延長し、これらの延長部分を上方に折り曲げて、階段下地２０の上段の蹴上げ面に踏み面被覆部１ａの後端延長部分を第一の貼着剤層２Ａの後端延長部分を介して貼着固定してもよい。
【００３８】
以上の説明から理解できるように、本発明の階段被覆材は、踏み面被覆部１ａをその下面に積層された第一の貼着剤層２Ａによって階段下地２０の踏み面２０ａに貼着すると共に、蹴上げ面被覆部１ｃをその裏面に積層された第二の貼着剤層２Ｂによって階段下地２０の蹴上げ面２０ｃに貼着するものであるから、接着剤を塗布する手間やオープンタイムの設定が不要であり、しかも、第一の剥離紙３Ａと第二の剥離紙３Ｂを剥離除去する前に階段被覆材１の位置決め作業、位置決めし直し作業、位置の微調整作業などを容易に行うことができ、位置決め後には引き剥がし用突片４を指で摘んで第一の剥離紙３Ａを破断することなく容易かつ確実に剥離除去できるものであるから、施工性に優れている。従って、この階段被覆材を用いた本発明の階段被覆工法は、効率良く実施、施工することができる。
【符号の説明】
【００３９】
１    階段被覆材
１ａ  階段被覆材の踏み面被覆部
１ｂ  階段被覆材の段鼻被覆部
１ｃ  階段被覆材の蹴上げ面被覆部
２Ａ  第一の貼着剤層
２Ｂ  第二の貼着剤層
３Ａ  第一の剥離紙
３Ｂ  第二の剥離紙
４    引き剥がし用突片
２０  階段下地
２０ａ  階段下地の踏み面
２０ｂ  階段下地の段鼻
２０ｃ  階段下地の蹴上げ面
【図１】
2013028992.tif 000003
【図２】
2013028992.tif 000004
【図３】
2013028992.tif 000005
【図４】
2013028992.tif 000006
【図５】
2013028992.tif 000007
【図６】
2013028992.tif 000008
【図７】
2013028992.tif 000009